(57)【要約】  安全フック（１１）を下側の端部に有し、かつ綱のリング内における安全フックの締付けによって調節可能なかつ／またはあらかじめ製造された保持ループ（２）を上側の端部に有する、帯（１２）またはベルトからなる著しく改善された綱（１）が提供され、この綱は、空間内において強く引っ張る動物を保持することも可能にし、このことは、保持ループ（２；２２）内にまたは保持ループ（２；２２）に隣接して握り部（３）が配置され
2005514045.tif 000002
【特許請求の範囲】
【請求項１】
首輪または器具において動物をつなぐために安全フックを下側の端部に有し、かつ綱のリング内における安全フックの締付けによって調節可能なかつ／またはあらかじめ製造された保持ループを上側の端部に有する、帯またはベルトからなる綱において、保持ループ（２；２２）内にまたは保持ループ（２；２２）に隣接して握り部（３）が配置されていることを特徴とする、帯またはベルトからなる綱。
【請求項２】
握り部（３）内に自動車の安全ベルトの留め金部分（７）が配置されており、この留め金部分が、綱（１）に固定されていることを特徴とする、請求項１に記載の綱。
【請求項３】
留め金部分（７）が、被覆（４）によって囲まれており、この被覆が、閉鎖部（５）を備え、この閉鎖部においてこの被覆が、縦に開くことができ、かつ閉じることができ、かつ留め金部分（７）および被覆（４）が、握り部（３）を形成していることを特徴とする、請求項２に記載の綱。
【請求項４】
留め金部分（７）が、ロック部分（９；１０）、および取付け部分を有し、この取付け部分が、通口（１４）として形成されており、この通口を通して綱（１）の帯またはベルトが延びていることを特徴とする、前記請求項の１つに記載の綱。
【請求項５】
留め金部分（７）が２部分から形成されており、かつ通口（１４）を有する基礎板（８）から、および留め金部分（７）からなり、この留め金部分が、継ぎ手（６）を介して基礎板（８）に取り付けられており、かつ自動車の異なった安全ベルトバックルのための２つの異なったロック部分（９；１０）を有することを特徴とする、前記請求項の１つに記載の綱。
【請求項６】
安全フック（１１；２１）が、留め金部分（７）から間隔を置いて配置されており、この間隔が、自動車の１つの安全ベルトバックルに、かつ自動車の座席にまたはそのために設けられた場所に座ったまたは置かれた動物の首輪または器具に相当することを特徴とする、前記請求項の１つに記載の綱。
【請求項７】
間隔が、綱（１）の部分長さにわたって調節可能であることを特徴とする、請求項６に記載の綱。
【請求項８】
綱が短い案内器として形成されており、保持ループ（２）が、留め金部分（７）のすぐ後に配置されており、かつ保持ループ（２）を通って案内される人間の手および人間の手によってつかむ留め金部分（７）および被覆（４）からなる握り部（３）のために、安定な形状の人間工学的な保持装置が形成されていることを特徴とする、前記請求項の１つに記載の綱。
【発明の詳細な説明】
【発明の詳細な説明】
【０００１】  本発明は、主特許請求の範囲の上位概念に記載の綱に関する。
【０００２】  周知の短いまたは長い綱によって、動物は、とくに犬は、多かれ少なかれ自由空間を有するように案内することができる。このような周知の綱は、その端部に通常保持ループを有し、これらの保持ループは、強く引っ張る動物を空間内に保持することを可能にし、その際、このような保持ループは、つかむべき手のために利用できるが、固定の保持つかみのために利用することができないので、細い綱は、おそらくそれぞれの位置において確実に固定保持することができず、かつ動物は、綱とともにちぎれて離れることがある。さらにこれらの周知の綱は、自動車における動物の運搬のために利用することができず、または別の付属品なしでは利用することができない。
【０００３】  本発明の課題は、著しく改善された綱を提供することにある。
【０００４】  この課題の解決策は、本発明によれば、上位概念の特徴に関連して特許請求の範囲第１項の特徴部分に記載された技術的な教えによって媒介される。
【０００５】  本発明による綱は、周知の綱のように、首輪または器具において動物をつなぐために使われる安全フックを下側の端部に有する帯またはベルトからなり、かつ間隔を置いて取付けられたリング内における安全フックの締付けによって製造可能なかつ／またはあらかじめ製造された上側の端部における保持ループからなる。さらにこの綱は、保持ループ内にまたはそのすぐ前に形状安定な握り部を有し、この握り部は、これが手の指の間から抜け出ることがないように、綱をつかみかつ固定保持することを可能にするので、強力な動物でさえこのような握り部を備えた綱において確実に導くことができる。
【０００６】  本発明の対象の別の有利な構成は、後続の特許請求の範囲従属請求項によって、およびその組合せにおいて明らかである。
【０００７】  本発明の対象のとくに有利な構成によれば、握り部内に自動車の安全ベルトの留め金部分が配置されており、この留め金部分が、綱に固定されており、かつ握り部から外に出ることはなく、その際、留め金部分は、大体において握り部の長さを有し、かつ金属から製造されており、かつこのようにして握り部の剛体的な心を形成している。
【０００８】  本発明のとくに有利な構成に相応して、握り部分は、留め金部分および被覆からなり、この被覆自体は、閉鎖部を備え、この閉鎖部においてこの被覆は、たとえば粘着閉鎖部のように、その長さにわたって開くことができ、かつ閉じることができるので、留め金部分は、容易にアクセスすることができ、かつ同様に容易に再びしまい込むこともできる。したがって本発明によるこの綱によれば、自動車に別の必要な構成部分が存在する必要なく、または携帯する必要なく、それにしたがってこれらの構成部分を忘れることなく、または置いたままにすることなく、常に安全ベルトを携帯できることが保証されている。
【０００９】  有利なようにこのような留め金部分は、ロック部分、および取付け部分を有し、この取付け部分は通口を有し、この通口を通して綱の帯またはベルトが延びているので、この取付け部分は、綱における所定の位置において調節可能であり、または所定の位置において、たとえば横向き縫い目によって綱の二重になった範囲に固定されているが、綱に対してそれぞれ任意の角度位置に動かすことができる。
【００１０】  本発明による綱の留め金部分は、なるべく２部分から形成することができ、かつ綱に基礎板を取付けるために通口を有する基礎板から、および本来の留め金部分からなり、この留め金部分は、継ぎ手を介して基礎板に取り付けられており、かつさらに自動車の異なった安全ベルトバックルのための２つの異なったロック部分を備えているので、綱の適用範囲は、さらにかなりの程度まで広げられている。
【００１１】  本発明のとくに有利な構成において、安全フックは、留め金部分から間隔を置いて配置されており、この間隔は、自動車の１つの安全ベルトバックルに、かつ自動車の座席にまたはそのために設けられた場所に座ったまたは置かれた動物の首輪または器具に相当するので、このことが望ましい場合、自動車内における動物の運動遊び空間も著しく減少することができる。この間隔は、有利なように綱の種々のリングに安全フックを締付けることによって発生することができる綱の部分長さにわたっても調節することができる。
【００１２】  さらに綱は、長い綱として、または短い案内器として形成することができ、その際、後者の場合、保持ループは、留め金部分のすぐ後に配置されているので、人は、その手を保持ループを通して案内することができ、かつ続いて握り部をつかむことができ、それにより安定な形状の人間工学的な保持装置が提供される。
【００１３】  次に本発明の２つの実施例を図面により詳細に説明する。
【００１４】  綱１は、なるべく皮または合成物質組織からなる帯１２またはベルトからなり、かつ上側端部にあらかじめ製造された保持ループ２、または綱１のリング１５；１６；１７内に安全フック２１を締付けることによって製造される保持ループ２２を有し、かつ下側端部に安全フック１１を有し、かつ希望にしたがって綱１の長さを合わせることができる調節バックル１３を有する。
【００１５】  図１および５に示された綱１の構成は、短い案内器として形成されており保持ループ２のすぐ後の範囲に握り部３を有するように形成されており、この握り部は、被覆４からなり、この被覆内に留め金部分７が配置されており、この留め金部分７は、通口１４を有し、この通口を通って綱１の帯またはベルトが延びており、かつこの中に持ち込まれた横向き縫い目によって固定されている。通口１４に対向する留め金部分７の端部に、ロック部分１０が配置されており、このロック部分は、自動車安全ベルトバックルの多くの従来のベルトバックル内に挿入することができる。
【００１６】  図６に示したような留め金部分は、通口１４を供えた基礎板８を有し、かつ継ぎ手６を有し、この継ぎ手を介して留め金部分７の２つのロック部分９；１０は、選択的に利用位置に回すことができるので、このような留め金部分によって、自動車に動物をベルト止めするために安全ベルトの慣用のあらゆるバックルが利用できる。
【００１７】  図３に示すように、綱１は、長い綱として構成することもでき、かつ第２の安全フック２１、および綱１の長さにわたって種々のリング１５；１６；１７を備えることができ、その際、リング１５はたとえば握り部３の前に、リング１６は握り部３の後に間隔を置いて、かつリング１７は綱１の端部に配置することができるので、第１のリング１５内に安全フック２１を締付けた際に、あらかじめ製造された保持ループの図１に似た形が生じ、かつたとえば綱１の最後のリング１７内に安全フック２１を止めた際、握り部３をつかむ前に同様に手を通すことができる保持ループ２２を有する大幅に短い綱の表示が生じるので、利用者によって選択的に、彼にとってもっとも快適なまたはもっとも有意義に思われる利用が可能である。
【００１８】  握り部３の被覆４は、なるべく粘着閉鎖部５を有するので、この被覆は、握り部３の剛体的な心を包む留め金部分７の回りに、または基礎板８に結合された留め金部分７の回りに容易に取付けることができる。
【図面の簡単な説明】
【００１９】
【図１】  あらかじめ製造された保持ループを備えた短い案内器として形成された綱を示す図である。
【図２】  可変の調節可能な保持ループを備えた長い綱を示す図である。
【図３】  図２による綱を全長において縮小して示す図である。
【図４】  活性化した安全ベルト機能を有する図３による綱を示す図である。
【図５】  開いた被覆を有する図１による綱のつかみ側端部を示す図である。
【図６】  ２つの異なったロック部分を有する留め金部分を備えた握り部の開いた被覆を示す図である。
【符号の説明】
【００２０】  １  綱
２  保持ループ
３  握り部
４  被覆
５  閉鎖部
６  継ぎ手
７  留め金部分
８  基礎版
９  ロック部分
１０  ロック部分
１１  安全フック
１４  通口
２１  安全フック
２２  保持ループ
【図１】
2005514045.tif 000003
【図２】
2005514045.tif 000004
【図３】
2005514045.tif 000005
【図４】
2005514045.tif 000006
【図５】
2005514045.tif 000007
【図６】
2005514045.tif 000008
【国際調査報告】
2005514045.tif 000009
2005514045.tif 000010
2005514045.tif 000011
2005514045.tif 000012